(57)【要約】      （修正有）【課題】足指間をマッサージすることにより足指とその近傍の血流を促進し、かつ足指間の洗浄により足指間を清潔に保ち、足の冷えの軽減や、水虫の予防効果が期待できる、使用が容易な健康用器具としての足指間をマッサージ具を提供する。【解決手段】洗浄可能で、かつ伸縮性を有する素材よりなる４本の長尺の紐状体２と、紐状体４本を並列に張設し紐状体を足指間で摺動させるための４本の紐状体の前方部と後方部に定着された１対の持ち手１とからなり、伸縮性を有する紐状体が、伸縮性を有する紐によって連結された複数の球状のマッサージボールを伸縮性を有する長尺の外筒の内部に収納してなる足指間マッサージ具による。【選択図】図１
0003121752.tif 000002
【実用新案登録請求の範囲】
【請求項１】
足指間をマッサージするマッサージ具であって、洗浄可能で、かつ伸縮性を有する素材よりなる４本の長尺の紐状体と、前記紐状体４本を並列に張設し前記紐状体をを足指間で摺動させるための前記４本の紐状体の前方部と後方部に定着された１対の持ち手とからなることを特徴とする足指間マッサージ具。
【請求項２】
前記伸縮性を有する紐状体が、伸縮性を有する紐によって連結された複数の球状のマッサージボールを伸縮性を有する長尺の外筒の内部に収納してなることを特徴とする請求項１に記載の足指間マッサージ具。
【請求項３】
前記伸縮性を有する紐状体又は外筒が、ゴム、シリコンゴム等の弾性体又は同弾性体のチューブ、あるいはこれら弾性体の繊維と綿糸とを編み組みしたゴムひも状の素材で形成されてなることを特徴とする請求項１又は２に記載の足指間マッサージ具。
【請求項４】
前記伸縮性を有する外筒の外周に足指間の皮膚に柔らかに当接するようガーゼ状の綿布を被装してなることを特徴とする請求項２又は３に記載の足指間マッサージ具。
【請求項５】
前記マッサージボールが、硬質ゴムなど適度な硬度を備えた素材からなるものであることを特徴とする請求項２〜４のいずれか１項に記載の足指間マッサージ具。
【請求項６】
１対の持ち手に張設された４本の紐状体のうち、外側の２本が内側の２本より太く形成されてなることを特徴とする請求項１〜５のいずれか１項に記載の足指間マッサージ具。
【考案の詳細な説明】
【技術分野】
【０００１】
健康用器具に係り、特に足指間をマッサージする器具に関する。
【背景技術】
【０００２】
従来、足指間を洗浄しマッサージする器具として様々な発明や考案がなされている。
例えば、特開２００４−３０５２４２号公報には、足指間に挿通可能な太さの柔軟筒状体を複数並列し、中央部の一部を残してその両側端部を各柔軟筒状体の側腹部を互いに接合して一体的に構成した足指間洗浄刺激具が開示されている。
また、特開平１１−２５３３５０号公報には、２つの把手の間に４本のタオル地等を装着させた足指同時刺激洗浄器具が開示されている。
【特許文献１】特開２００４−３０５２４２号公報
【特許文献２】特開平１１−２５３３５０号公報
【考案の開示】
【考案が解決しようとする課題】
【０００３】
しかし、上記特許文献１の発明では、柔軟筒状体の素材をタオル地等としており、全体をバスタオル形状に構成し、必要に応じて足指間の洗浄あるいはマッサージに利用できる浴用タオル兼用として活用できるとも記述しており、また、柔軟筒状体の所要部に封入されるアクセント部材もスポンジ等として足指間に当接感の優しいまろやかな刺激が与えれれるものであるとしている。したがって、本発明の主目的は足指間の洗浄にあり、マッサージは副次的な効果を狙ったものと考えられる。
また、上記特許文献２の発明もその課題が、従来洗浄効果が十分でなかった足指の裏側の洗浄を解決することとしており、特許文献１と同様洗浄を主目的とし、マッサージは副次的な効果を狙ったものと考えられる。
さらに、いずれもタオル地を用いていることから足指間にそれぞれの器具を挟入する際にタオル地のパイルが爪に引っ掛かるおそれがあることなどから挟入に注意を払う必要があった。
本考案は、足指間をマッサージすることにより足指とその近傍の血流を促進し、かつ足指間の洗浄により足指間を清潔に保ち、足の冷えの軽減や、水虫の予防効果が期待できる健康用器具であって、かつ足指間に挟入する紐状体に伸縮性を持たせ、該紐状体を足指間に容易に挟入できるようにした足指間マッサージ具を提供するものである。
【課題を解決するための手段】
【０００４】
上記に鑑み本考案者は鋭意実験研究の結果、次の手段により前記課題を解決した。
（１）足指間をマッサージするマッサージ具であって、洗浄可能で、かつ伸縮性を有する素材よりなる４本の長尺の紐状体と、前記紐状体４本を並列に張設し前記紐状体を足指間で摺動させるための前記４本の紐状体の前方部と後方部に定着された１対の持ち手とからなることを特徴とする足指間マッサージ具。
（２）前記伸縮性を有する紐状体が、伸縮性を有する紐によって連結された複数の球状のマッサージボールを伸縮性を有する長尺の外筒の内部に収納してなることを特徴とする前項（１）に記載の足指間マッサージ具。
（３）前記伸縮性を有する紐状体又は外筒が、ゴム、シリコンゴム等の弾性体、又は同弾性体のチューブ、あるいはこれら弾性体の繊維と綿糸とを編み組みしたゴムひも状の素材で形成されてなることを特徴とする前項（１）又は（２）に記載の足指間マッサージ具。
（４）前記伸縮性を有する外筒の外周に足指間の皮膚に柔らかに当接するようガーゼ状の綿布を被装してなることを特徴とする前項（２）又は（３）に記載の足指間マッサージ具。
（５）前記マッサージボールが、硬質ゴムなど適度な硬度を備えた素材からなるものであることを特徴とする前項（２）〜（４）のいずれか１項に記載の足指間マッサージ具。
（６）１対の持ち手に張設された４本の紐状体のうち、外側の２本が内側の２本より太く形成されてなることを特徴とする前項（１）〜（５）のいずれか１項に記載の足指間マッサージ具。
【考案の効果】
【０００５】
（ア）本考案の足指間マッサージ具が、両端に配設された１対の持ち手の間に並列に張設された４本のる紐状体が伸縮性を有するので、４本の紐状体それぞれを４個所存在する足指間の先端に当接した後、持ち手を手前に引くなどによって、４本の紐状体の足指間への挟入が同時に、かつ容易にできる。また、横に直線的な配列でない足指間に前記紐状体が挟入されても紐状体が伸縮性を有するので、持ち手の位置調節によって前記紐状体の外周を各足指間の皮膚に柔らかに接触させることができる。
さらに、持ち手によって前記４本の紐状体を上下に動かして足指間のマッサージを行う際にも、紐状体の有する伸縮性が作用し、持ち手のいかなる方向への移動に対しても紐状体は足指間に適合して動き、効果的なマッサージが可能になる。
（イ）前記外筒の内部に収納された複数のマッサージボールが、適度な硬度を有するので、前記外筒を介して足指間の摩擦効果を高めることができる。さらにマッサージボールが伸縮性を有する紐によって連結されているため、前記伸縮性を有する紐と外筒とが互いに伸縮しあい足指間により適合してよりよいマッサージ効果が得られる。
（ウ）前記外筒の外周にガーゼ状の綿布を被装しているので、前記がが足指間に柔らかに当接し、紐状体の摺動時の摩擦を弱め、また足指間を洗浄するときの洗剤の吸着を効果的にすることができる。またガーゼ状綿布を交換することによって洗浄可能な紐状体をより一層清潔に保つことができる。
（エ）上記（ア）〜（ウ）の効果によって、足指間のマッサージと洗浄が容易かつ効果的に行えるので、足指とその近傍の血流を促進でき、また足指間を清潔に保て、足の冷えの軽減や、水虫の予防効果が期待できる。
【考案を実施するための最良の形態】
【０００６】
本考案の足指間マッサージ具を実施するための最良の形態を実施例の図面に基づいて説明する。
図１は本考案の足指間マッサージ具の実施例外観図、図２は紐状体の構造図、図３は紐状体の持ち手への取り付け構造図であり、図４は本考案の足指間マッサージ具の使用方法の説明図である。
図において、１は持ち手、２は紐状体、３は外筒、３ａは外筒の折り返し部、４はガーゼ状の綿布、５はマッサージボール、６は伸縮性を有する紐であり、７は挿通孔、８は紐端留め具、９は紐端固着剤を、また、１０は足先部分、１１は親指、１２は人差し指、１３は中指、１４は薬指、１５は小指を、そして２０は足指マッサージ具の移動方向を示す。
【０００７】
本考案の足指間マッサージ具は、図１（ａ）の正面図に示すように、１対の楕円リング状の持ち手１の間に４本の伸縮性を有する紐状体２が並列に張設されている。
そして、各紐状体２は、図２（ｂ）のＢ−Ｂ’断面図に示すように、伸縮性を有する長尺の外筒３の内部に、伸縮性を有する紐６により連結された複数の球状のマッサージボール５が収納され、また、前記外筒３の外周にはガーゼ状の綿布４が被装されている。
前記外筒３は、ゴム、シリコンゴム等の弾性体のチューブ又はこれら弾性体の繊維と綿糸とを編み組みしたゴムひも状の素材で形成されており、前記マッサージボール５を連結している伸縮性を有する紐６と相まって紐状体２に伸縮性を付与している。
【０００８】
この紐状体２の伸縮性は、まず張設された４本の紐状体２それぞれを、対応する４個所の足指間に挟入する際に役立つ。つまり、前記４本の紐状体それぞれを４個所存在する足指間の先端に当接した後、持ち手１を手前に引くなどによって、前記紐状体の伸縮性に伴う応力が作用して４本の紐状体２を４個所の足指間に同時に、かつ容易に挟入できるようになる。また、横に直線的な配列でない足指間に前記紐状体２が挟入されても紐状体２が伸縮性を有するので、持ち手１の位置調節によって前記紐状体２の外周を各足指間の皮膚になじみやすいように接触させることができる。
さらに、持ち手１によって前記４本の紐状体２を上下に動かして足指間のマッサージを行う際にも、紐状体２の有する伸縮性が作用し、持ち手１のいかなる方向への移動に対しても紐状体２は足指間に適合して動き、効果的なマッサージを可能にする。
なお、紐状体２を構成するゴムやシリコンゴム等の弾性体又は弾性体のチューブ、あるいはこれら弾性体の繊維と綿糸とを編み組みしたゴムひも状の外筒３の外周に、マッサージの際、前記外筒３の外周が足指間の皮膚に柔らかに当接して皮膚に与える摩擦を和らげ、かつ足指間の洗浄時に洗剤の吸着をよくするために、ガーゼ状の綿布４を被装することが好ましい。さらに該ガーゼ状の綿布を交換可能にすることも好ましい。
【０００９】
前記外筒３の内部に収納され、伸縮性を有する紐６で連結されている複数のマッサージボール５は、適度な硬度を有する素材、例えば硬質ゴムなどで作られており、前記外筒３を介して足指間の摩擦効果を高めている。さらにマッサージボール５が伸縮性を有する紐６によって連結されているため、前記伸縮性を有する紐６と外筒３とが互いに伸縮しあい足指間により適合し、よりよいマッサージ効果が得られる。
【００１０】
また、１対の持ち手１に張設された４本の紐状体２のうちの２本に挟まれてマッサージされる人差し指１２、中指１３、薬指１４と、紐状体２がいずれか片側の指腹だけに触れる親指１１と小指１５とではそれぞれの指間の間隔は異なってくる。両側から紐状体２で押さえつけられる人差し指１２と中指１３との間、及び中指１３と薬指１４との間の間隔は変化が少なく比較的狭いが、片側が自由な親指１１と小指１５とは指先を紐状体で抑えられていない側に広げられることから、親指１１と人差し指１２の間、及び薬指１４と小指１５の間の間隔は変化いやすく比較的広くなりがちで、マッサージ効果が弱まるおそれがある。
したがって、１対の持ち手１の間に張設される４本の紐状体２のうち外側の２本を内側の２本より太くすることにより、親指１１と人差し指１２の間、薬指１４と小指１５の間も他の指間と同様なマッサージ効果が与えられるようにしておくことも好ましい。
【００１１】
次に紐状体２の持ち手１への取り付け構造について図３に基づいて説明する。
図３に示すように、持ち手１の下部には紐状体２を挿通させる挿通孔７が穿孔されており、該挿通孔７に紐状体２が挿通された後、前記紐状体２の外筒３の端部が鍔状に外側へ折り返されて外筒の折り返し部３ａが形成され、この外筒の折り返し部３ａが持ち手１の下部内面に紐端留め具８で圧接され、さらに紐端固着剤９で固着されている。
また、前記紐端留め具８の中央に穿設された紐挿通孔にはマッサージボール５を連結した伸縮性を有する紐７の末端が折り曲げられ、その上面を紐端固着剤９により固着されている。なお、紐端固着剤９は接着材でよい。
【００１２】
上記は、図１〜図３に示した実施例によって説明したが、本考案はこの実施例で示した形状、構造に限られるものでなく、その内部に伸縮性を有する紐６で連結された複数のマッサージボール５を複数備えた伸縮性を有する紐状体２を４本、１対の持ち手の間に張設されるものであればよい。例えば、実施例では持ち手を楕円リングとしたが、円形のリングでも長方形のリングでもよく、要は本足指間マッサージ具を足指間に挟入して上下に動かし、足指間のマッサージがしやすい形状の持ち手１であればよい。
また、伸縮性を有する４本の紐状体２を持ち手１に取り付ける構造も、図１及び図３に示したように、持ち手１に間隔を開けず隣接して取り付けることに限られるものでなく、持ち手１の形状によっては、４本の紐状体２を足指の間隔に合わせて間をあけて取り付け、４本の紐状体２を平行に張設することであってもよい。
なお、実験の結果、本考案の足指間マッサージ具の好ましい大きさとしては、全長（１対の持ち手１の端部間の長さ）が３０ｃｍ前後、紐状体の太さが８〜１０ｍｍであった
【００１３】
次に本考案の足指間マッサージ具の使用方法について説明する。
図４に示すように４本の紐状体２をそれぞれ４個所にの足指間に１本ずつ挟入する。前述したように紐状体２は伸縮性があるので、挟入は容易であり、かつ横に直線的な配列ではない足指間にもなじみやすい。
また、紐状体２が、外筒３内部に収納されたにマッサージボール５により適度な硬度を有するため、両端の持ち手１を軽く引っ張りながら、例えば図示の移動方向２０のように上下に動かすと、各足指間の股部への押圧の程度や、移動速度によって変化する押圧や摩擦の感覚を使用者自身が自分の足指間の皮膚で感じ取ることができるので、使用者にとって最適なマッサージ条件に調整でき、より効果的なマッサージ効果を得ることができる。  また、前後、左右への移動により足指間の位置を選択することもできる。
このようにして４個所の足指間のマッサージと洗浄とが同時に行えるので、足指とその近傍の血流がよくなり、かつ足指間を清潔に保つことによって、足の冷えに軽減や水虫の予防が期待できる。
さらに、紐状体２の素材は洗浄が可能であり、かつ、水切りが容易で速やかに乾燥するものであるので常時清潔さを保つことができる。
【図面の簡単な説明】
【００１４】
【図１】本考案の足指間マッサージ具の実施例外観図
【図２】紐状体の構造図
【図３】紐状体の持ち手への取り付け構造図
【図４】本考案の足指間マッサージ具の使用方法の説明図
【符号の説明】
【００１５】
１：持ち手
２：紐状体
３：外筒
３ａ：外筒の折り返し部
４：ガーゼ状綿布
５：マッサージボール
６：伸縮性を有する紐
７：挿通孔
８：紐端留め具
９：紐端固着剤
１０：足先部分
１１：親指
１２：人差し指
１３：中指
１４：薬指
１５：小指
２０：移動方向
【図１】
0003121752.tif 000003
【図２】
0003121752.tif 000004
【図３】
0003121752.tif 000005
【図４】
0003121752.tif 000006